【手続補正書】
【提出日】平成30年8月31日(2018.8.31)
【手続補正１】
【補正対象書類名】特許請求の範囲
【補正対象項目名】全文
【補正方法】変更
【補正の内容】
【特許請求の範囲】
【請求項１】
ターゲット基地局によるハンドオーバ動作管理のための方法であって、
ソース基地局から受信されたユーザ機器（ＵＥ）の基準信号構成に少なくとも部分的に基づいて、前記ＵＥに関連付けられた基準信号情報をモニタすることと、
前記基準信号情報に少なくとも部分的に基づいて、前記ＵＥについてのタイミング情報を推定することと、
前記ソース基地局に前記タイミング情報を送信することと、
を備える、方法。
【請求項２】
アップリンクリソースが前記ターゲット基地局に対して前記ソース基地局によって割り当てられた後に、前記ＵＥからのアップリンクデータ送信を受信することをさらに備える、請求項１に記載の方法。
【請求項３】
前記タイミング情報は、前記ソース基地局と前記ターゲット基地局との間のハンドオーバ準備動作中に、前記ソース基地局に送信される、請求項１に記載の方法。
【請求項４】
前記ハンドオーバ準備動作中に、物理アップリンク共有チャネル（ＰＵＳＣＨ）リソースをネゴシエートすることをさらに備える、請求項３に記載の方法。
【請求項５】
前記タイミング情報が前記ＵＥによって受信された後に、半永続的な手法で、ＰＵＳＣＨを利用して、前記ＵＥからのメッセージを受信することをさらに備える、請求項１に記載の方法。
【請求項６】
ソース基地局とターゲット基地局との間のハンドオーバ動作のための装置であって、
ユーザ機器（ＵＥ）に関連付けられた基準信号情報を受信するように構成されたトランシーバと、
情報を記憶するように構成されたメモリと、
前記メモリと通信状態にあるプロセッサと、
を備え、前記プロセッサ及び前記メモリは、
前記ソース基地局から受信された前記ＵＥの基準信号構成に少なくとも部分的に基づいて、前記ＵＥに関連付けられた前記基準信号情報をモニタすることと、
前記基準信号情報に少なくとも部分的に基づいて、前記ＵＥについてのタイミング情報を推定することと、及び、
前記トランシーバを介して、前記ソース基地局に前記タイミング情報を送信することと、
を行うように構成される、装置。
【請求項７】
前記トランシーバは、アップリンクリソースが前記ターゲット基地局に対して前記ソース基地局によって割り当てられた後に、前記ＵＥからのアップリンクデータ送信を受信するようにさらに構成される、請求項６に記載の装置。
【請求項８】
前記タイミング情報は、前記ソース基地局と前記ターゲット基地局との間のハンドオーバ準備動作中に、前記ソース基地局に送信される、請求項６に記載の装置。
【請求項９】
前記トランシーバは、前記ハンドオーバ準備動作中に、物理アップリンク共有チャネル（ＰＵＳＣＨ）リソースをネゴシエートするようにさらに構成される、請求項８に記載の装置。
【請求項１０】
前記トランシーバは、前記タイミング情報が前記ＵＥによって受信された後に、半永続的な手法で、ＰＵＳＣＨを利用して、前記ＵＥからのメッセージを受信するようにさらに構成される、請求項６に記載の装置。
【請求項１１】
請求項１乃至５のいずれかの方法を遂行するための命令を備える、コンピュータプログラム。
【手続補正２】
【補正対象書類名】明細書
【補正対象項目名】００９５
【補正方法】変更
【補正の内容】
【００９５】
[00108]  その上、「又は／あるいは／もしくは（or）」という用語は、排他的な「又は／あるいは／もしくは」というよりはむしろ包括的な「又は／あるいは／もしくは」を意味するように意図される。すなわち、別段の規定がない限り、又は文脈から明白でない限り、「ＸはＡ又はＢを使用する」という句は、自然な包括的置換のいずれかを意味するものとする。つまり、「ＸはＡ又はＢを使用する」というフレーズは、ＸがＡを使用する場合、ＸがＢを使用する場合、又はＸがＡとＢの両方を使用する場合のいずれによっても満たされる。加えて、本願及び添付の特許請求の範囲で使用される冠詞「ａ」及び「ａｎ」は、別段の規定がない限り、又は単数形を示すことが文脈から明白でない限り、概して「１つ又は複数」を意味するものと解釈されるべきである。
以下に本願発明の当初の特許請求の範囲に記載された発明を付記する。
［Ｃ１］  ターゲット基地局によるハンドオーバ動作管理のための方法であって、
ソース基地局から受信されたユーザ機器（ＵＥ）の基準信号構成に少なくとも部分的に基づいて、前記ＵＥに関連付けられた基準信号情報をモニタすることと、
前記基準信号情報に少なくとも部分的に基づいて、前記ＵＥについてのタイミング情報を推定することと、
前記ソース基地局に前記タイミング情報を送信することと、ここにおいて、前記ソース基地局は、前記ターゲット基地局へのハンドオーバのために、前記ＵＥに前記タイミング情報を提供する、
を備える、方法。
［Ｃ２］  アップリンクリソースが前記ターゲット基地局に対して前記ソース基地局によって割り当てられた後に、前記ＵＥからのアップリンクデータ送信を受信することをさらに備える、Ｃ１に記載の方法。
［Ｃ３］  前記タイミング情報は、前記ソース基地局と前記ターゲット基地局との間のハンドオーバ準備動作中に、前記ソース基地局に送信される、Ｃ１に記載の方法。
［Ｃ４］  前記ハンドオーバ準備動作中に、物理アップリンク共有チャネル（ＰＵＳＣＨ）リソースをネゴシエートすることをさらに備える、Ｃ３に記載の方法。
［Ｃ５］  前記タイミング情報が前記ＵＥによって受信された後に、半永続的な手法で、ＰＵＳＣＨを利用して、前記ＵＥからのメッセージを受信することをさらに備える、Ｃ１に記載の方法。
［Ｃ６］  前記タイミング情報は、無線リソース制御（ＲＲＣ）再構成メッセージにおいて前記ＵＥに送信される、Ｃ１に記載の方法。
［Ｃ７］  前記ＵＥは、前記ＲＲＣ再構成メッセージを解釈した後に、前記ターゲット基地局に同調する、Ｃ６に記載の方法。
［Ｃ８］  ソース基地局とターゲット基地局との間のハンドオーバ動作のための、コンピュータ実行可能なコードを記憶するコンピュータ可読媒体であって、
前記ソース基地局から受信されたユーザ機器（ＵＥ）の基準信号構成に少なくとも部分的に基づいて、前記ＵＥに関連付けられた基準信号情報をモニタするためのコードと、
前記基準信号情報に少なくとも部分的に基づいて、前記ＵＥについてのタイミング情報を推定するためのコードと、
前記ソース基地局に前記タイミング情報を送信するためのコードと、ここにおいて、前記ソース基地局は、前記ターゲット基地局へのハンドオーバのために、前記ＵＥに前記タイミング情報を提供する、
を備える、コンピュータ可読媒体。
［Ｃ９］  アップリンクリソースが前記ターゲット基地局に対して前記ソース基地局によって割り当てられた後に、前記ＵＥからのアップリンクデータ送信を受信するためのコードをさらに備える、Ｃ８に記載のコンピュータ可読媒体。
［Ｃ１０］  前記タイミング情報は、前記ソース基地局と前記ターゲット基地局との間のハンドオーバ準備動作中に、前記ソース基地局に送信される、Ｃ８に記載のコンピュータ可読媒体。
［Ｃ１１］  前記ハンドオーバ準備動作中に、物理アップリンク共有チャネル（ＰＵＳＣＨ）リソースをネゴシエートするためのコードをさらに備える、Ｃ１０に記載のコンピュータ可読媒体。
［Ｃ１２］  前記タイミング情報が前記ＵＥによって受信された後に、半永続的な手法で、ＰＵＳＣＨを利用して、前記ＵＥからのメッセージを受信するためのコードをさらに備える、Ｃ８に記載のコンピュータ可読媒体。
［Ｃ１３］  前記タイミング情報は、無線リソース制御（ＲＲＣ）再構成メッセージにおいて前記ＵＥに送信される、Ｃ８に記載のコンピュータ可読媒体。
［Ｃ１４］  前記ＵＥは、前記ＲＲＣ再構成メッセージを解釈した後に、前記ターゲット基地局に同調する、Ｃ１３に記載のコンピュータ可読媒体。
［Ｃ１５］  ソース基地局とターゲット基地局との間のハンドオーバ動作のための装置であって、
ユーザ機器（ＵＥ）に関連付けられた基準信号情報を受信するように構成されたトランシーバと、
情報を記憶するように構成されたメモリと、
前記メモリと通信状態にあるプロセッサと、
を備え、前記プロセッサ及び前記メモリは、
前記ソース基地局から受信された前記ＵＥの基準信号構成に少なくとも部分的に基づいて、前記ＵＥに関連付けられた前記基準信号情報をモニタすることと、
前記基準信号情報に少なくとも部分的に基づいて、前記ＵＥについてのタイミング情報を推定することと、及び、前記トランシーバを介して、前記ソース基地局に前記タイミング情報を送信することと、ここにおいて、前記ソース基地局は、前記ターゲット基地局への前記ＵＥのハンドオーバのために、前記ＵＥに前記タイミング情報を提供する、
を行うように構成される、装置。
［Ｃ１６］  前記トランシーバは、アップリンクリソースが前記ターゲット基地局に対して前記ソース基地局によって割り当てられた後に、前記ＵＥからのアップリンクデータ送信を受信するようにさらに構成される、Ｃ１５に記載の装置。
［Ｃ１７］  前記タイミング情報は、前記ソース基地局と前記ターゲット基地局との間のハンドオーバ準備動作中に、前記ソース基地局に送信される、Ｃ１５に記載の装置。
［Ｃ１８］  前記トランシーバは、前記ハンドオーバ準備動作中に、物理アップリンク共有チャネル（ＰＵＳＣＨ）リソースをネゴシエートするようにさらに構成される、Ｃ１７に記載の装置。
［Ｃ１９］  前記トランシーバは、前記タイミング情報が前記ＵＥによって受信された後に、半永続的な手法で、ＰＵＳＣＨを利用して、前記ＵＥからのメッセージを受信するようにさらに構成される、Ｃ１５に記載の装置。
［Ｃ２０］  前記タイミング情報は、無線リソース制御（ＲＲＣ）再構成メッセージにおいて前記ＵＥに送信される、Ｃ１５に記載の装置。
［Ｃ２１］  前記プロセッサ及び前記メモリは、前記ＲＲＣ再構成メッセージを解釈した後に、前記ターゲット基地局に前記ＵＥを同調するようにさらに構成される、Ｃ２０に記載の装置。
［Ｃ２２］  ソース基地局によるハンドオーバ動作管理のための方法であって、
ターゲット基地局にユーザ機器（ＵＥ）の基準信号構成を送信することと、
前記ターゲット基地局からタイミング情報を受信することと、ここにおいて、前記タイミング情報は、前記基準信号構成を使用して前記ターゲット基地局によってモニタされる、前記ＵＥの基準信号情報に少なくとも部分的に基づいて、前記ターゲット基地局によって推定される、
前記ＵＥに前記タイミング情報を送信することと
を備える、方法。
［Ｃ２３］  前記タイミング情報は、前記ソース基地局と前記ターゲット基地局との間のハンドオーバ準備動作中に、前記ソース基地局で受信される、Ｃ２２に記載の方法。
［Ｃ２４］  前記ハンドオーバ準備動作中に、物理アップリンク共有チャネル（ＰＵＳＣＨ）リソースを前記ターゲット基地局とネゴシエートすることをさらに備える、Ｃ２３に記載の方法。
［Ｃ２５］  前記ＵＥに前記タイミング情報を送信することは、無線リソース制御（ＲＲＣ）再構成メッセージにおいて前記タイミング情報を送信することを備える、Ｃ２２に記載の方法。
［Ｃ２６］  前記ターゲット基地局に対してＰＵＳＣＨリソースを割り当てることをさらに備える、Ｃ２２に記載の方法。
［Ｃ２７］  半永続的な手法の形式で、前記割り当てられたＰＵＳＣＨリソースを前記ＵＥに指し示すリソース割り当てメッセージを送信することをさらに備える、Ｃ２６に記載の方法。
［Ｃ２８］  前記リソース割り当てメッセージは、メディアアクセス制御（ＭＡＣ）シグナリングを用いて送信される、Ｃ２７に記載の方法。